(57)【要約】【課題】屋外の地上や地下に埋設されて設置されるＬＰＧ（液化石油ガス）のバルク貯槽やバルク容器の、ガス供給機器または消火器や警戒標等の特定機器を単独や共に取り付けることができる設置構造を提供する。【解決手段】バルク貯槽２等の設置空間の周囲に支柱１０を立設し、支柱１０の裏表に各々複数本の水平な裏側係止杆１４と表側係止杆を取り付け、裏側係止杆１４や表側係止杆にガス供給機器３０または消火器２１や警戒標２２等の特定機器を取り付けるようにした。【選択図】　　　　図４
2004138112.tif 000002
【特許請求の範囲】
【請求項１】
液化石油ガスバルク貯槽等の設置空間の周囲に支柱を立設し、支柱の裏表に各々複数本の水平な裏側係止杆と表側係止杆を取り付け、裏側係止杆や表側係止杆にガス供給機器または特定機器を取り付けるようにした液化石油ガスバルク貯槽等におけるガス供給機器等の設置構造。
【請求項２】
少なくとも一側の係止杆において、係止杆の支柱への取り付け高さを調節自在とした請求項１記載の液化石油ガスバルク貯槽等におけるガス供給機器等の設置構造。
【請求項３】
支柱を逆Ｕの字形状に曲げた鋼管で形成し、支柱の垂直部分の下端を基礎に固定した請求項１または請求項２記載の液化石油ガスバルク貯槽等におけるガス供給機器等の設置構造。
【発明の詳細な説明】
【０００１】
【発明の属する技術分野】
本発明は、屋外の地上や地下に埋設されて設置されるＬＰＧ（液化石油ガス）のバルク貯槽やバルク容器のようなバルク貯槽等の、ガス供給機器と消火器や警戒標等の設置構造に関する。
【０００２】
【従来の技術】
【特許文献１】特開平９−１４５９４号公報
【０００３】
大規模に液化石油ガスなどの危険物を貯蔵する場合、法令で定められ、そこからの出火や延焼を食い止めるため、消火装置や消火器が設置されている。例えば、１０００ｋｇ以上貯蔵する場合、粉末消火器（ＢＣ用Ｂ−１０以上）を１本以上設置することが定められている。
【０００４】
また、ＬＰＧバルク貯槽では、バルクローリによるガスの充填や保守点検のため、車両や作業者がＬＰＧバルク貯槽に容易に近付くことができる必要がある。
そのため、一般車両や火気を有する物又は部外者がＬＰＧバルク貯槽に近付く危険があるが、それを防止するため、火気厳禁や立入禁止を示し緊急連絡先を表示した警戒標を掲示することが義務付けられている。
【０００５】
このことから、車止めのみで設置空間を囲んだ場合には、消火器を設置し、警戒標を掲示するための、専用の支柱を設けている場合がある。
【０００６】
一方、ＬＰＧバルク貯槽やバルク容器のガス供給機器は、容器本体の上部または側部に付帯して設けたプロテクタ内に収納したものや、その一部をプロテクタ外の独立した支柱に取り付けたものが知られている。
【０００７】
例えば、特開平９−１４５９４号公報には、コンクリートパネル上に設置されるバルク容器本体と、プロテクタの近くのコンクリートパネルに立設された架台と、架台に取り付けられたガス供給機器によるものが示されている。
【０００８】
この架台は、一対の支柱と支柱間に梯子状に取り付けられたステーとからなり、コンクリートパネルに固定される。架台の上部のステーにはガス供給機器が取り付けられる。
【０００９】
【発明が解決しようとする課題】
以上のように、従来のＬＰＧバルク貯槽等では、法令で定められた消火器や警戒標等の特定機器を取り付ける支柱を設けること、プロテクタ内に収納しきれなかったガス供給機器を取り付ける支柱を設けることが必要であり、それらの設置作業の煩わしさと、多数の支柱を設けることがコスト増大の要因となっていた。
【００１０】
また、架台に取り付けるガス供給機器は、ＬＰＧバルク貯槽等のプロテクタの大きさとガス使用量により種々の形態となり、定型の支柱では対応が難しかった。
【００１１】
また一対の支柱と支柱間に梯子状に取り付けられたステーとからなる架台では、支柱とステーを溶接やネジ止めで固定する必要があり、製作に手数を要しコスト増大の要因となっていた。
【００１２】
そこで本発明は、ガス供給機器または消火器や警戒標等の特定機器を単独や共に取り付けることができ、種々の形態のガス供給機器が容易に取り付けられ、かつ製作に手数を要しない、液化石油ガスバルク貯槽等におけるガス供給機器等の設置構造を提供することを目的とする。
【００１３】
【課題を解決するための手段】
請求項１の発明の液化石油ガスバルク貯槽等におけるガス供給機器等の設置構造は、液化石油ガスバルク貯槽２等の設置空間の周囲に支柱１０を立設し、支柱１０の裏表に各々複数本の水平な裏側係止杆１４と表側係止杆１３を取り付け、裏側係止杆１４や表側係止杆１３にガス供給機器３０または特定機器２０を取り付けるようにしたものである。
【００１４】
請求項２の発明の液化石油ガスバルク貯槽等におけるガス供給機器等の設置構造は、少なくとも一側の係止杆１３，１４において、係止杆１３，１４の支柱１０への取り付け高さを調節自在としたものである。
【００１５】
請求項３の発明の液化石油ガスバルク貯槽等におけるガス供給機器等の設置構造は、支柱１０を逆Ｕの字形状に曲げた鋼管で形成し、支柱１０の垂直部分１１の下端を基礎１に固定したものである。
【００１６】
【発明の実施の形態】
請求項１の発明では、支柱１０の裏表に各々複数本の水平な裏側係止杆１４と表側係止杆１３を取り付け、裏側係止杆１４や表側係止杆１３にガス供給機器３０または特定機器２０を取り付けるようにしたから、ガス供給機器３０または特定機器２０を単独や共に各々任意の側に向けて取り付けることができる。
【００１７】
請求項２の発明では、少なくとも一側の係止杆１３，１４において、係止杆１３，１４の支柱１０への取り付け高さを調節自在としたから、種々の形態のガス供給機器３０または特定機器２０を取り付けることができる。
【００１８】
請求項３の発明では、支柱１０を逆Ｕの字形状に曲げた鋼管で形成し、支柱１０の垂直部分１１の下端を基礎１に固定したから、支柱１０は一体の鋼管で形成される。
【００１９】
【実施例】
以下、本発明の一実施例を図面を参照して説明する。
【００２０】
図１に示すのは地上設置のＬＰＧ（液化石油ガス）のバルク貯槽２であって、コンクリートで方形に形成され地面Ｅ下に半ば埋め込まれた基礎１を設け、基礎１上に横向きの略円筒形のＬＰＧバルク貯槽２を固定設置する。
【００２１】
ＬＰＧバルク貯槽２は、下部に脚が設けられ、円筒形の一端面に安全弁や液面計などの付属機器が設けられ、それらをプロテクタ２ａで覆っている。
【００２２】
ＬＰＧバルク貯槽２の設置空間の周囲であって、プロテクタ２ａ横の基礎１上に支柱１０を立設し、それらの４面を車止め３で囲み、車止め３は基礎１上に固定設置される。
【００２３】
車止め３は逆Ｕの字形状に鋼管を２箇所で９０度に曲げて形成され、その左右における垂直部分の下端が基礎１上にアンカーボルトで固定される。
【００２４】
支柱１０は、正面視で逆Ｕの字形状に鋼管を２箇所で９０度に曲げて形成され、左右における一対の垂直部分１１と、その上端をアール形状に連結する水平部分１２とから成り、垂直部分１１の下端を基礎１にアンカーボルト１５で固定する。
【００２５】
支柱１０の垂直部分１１の間でバルク貯槽２の側に２本の水平な裏側係止杆１４を取り付け、その反対側の垂直部分１１の間に４本の水平な表側係止杆１３を取り付ける。
【００２６】
係止杆１３，１４としての表側係止杆１３と裏側係止杆１４は、コの字断面の細長い薄板で、その垂直面を外側としその両端をタッピングビス１３ａ，１４ａで垂直部分１１に取り付ける。
【００２７】
裏側係止杆１４を取り付ける側の垂直部分１１には、上下方向に等間隔で多数の下孔１１ａを設け、下孔１１ａはタッピングビス１４ａのネジ部が食い付く大きさとしている。これにより、裏側係止杆１４の支柱１０への取り付け高さを調節自在とし、２本の裏側係止杆１４の間隔も変更可能としている。
【００２８】
裏側係止杆１４にガス供給機器３０を取り付け、その反対側の表側係止杆１３に消火器２１や警戒標２２等の特定機器２０を取り付ける。表側係止杆１３と裏側係止杆１４にはそれらを取り付けるための孔を設けていないが、現物合わせで孔を開けてボルトやリベットで取り付けるか、電動ドライバーによりテクス（セルフドリリングスクリュー）で直接取り付ける。
【００２９】
消火器２１は、消火器ボックスに収納されたもので、消火器ボックスの扉を開けると誰でも直ちに取り出して使用できるものである。
【００３０】
警戒標２２は、一般の者に対して火気厳禁や立入禁止を示し緊急連絡先を表示した板で、屋外に掲示されても表示が容易に消失しないようになっている。
【００３１】
ガス供給機器３０は、ガスメータ３１、単段調整器３２、一次圧力計３３、二次圧力計３４等で構成され、高圧ホース３５を介してバルク貯槽２に接続され、配管３６を介してガス端末機器に接続される。
【００３２】
以上の実施例では、地上設置のＬＰＧバルク貯槽２の例を示したが、可搬型のＬＰＧバルク容器や地下埋設のＬＰＧバルク貯槽でも良い。
【００３３】
また、支柱１０の垂直部分１１の下端をＬＰＧバルク貯槽２の基礎１にアンカーボルト１５で固定した例を示したが、基礎１中に埋め込まれて固定されるようにしても良いし、ＬＰＧバルク貯槽２の基礎１とは別の基礎に固定しても良い。
【００３４】
また、裏側係止杆１４のみが支柱１０への取り付け高さを調節自在とした例を示したが、表側係止杆１３も取り付け高さを調節自在としても良い。
【００３５】
また、多数の下孔１１ａにより係止杆１３，１４が取り付け高さを調節自在とした例を示したが、支柱１０の垂直部分１１を挟み込むようにしたり、上下方向の長孔により取り付け高さを調節自在としても良い。
【００３６】
【発明の効果】
請求項１の発明によれば、支柱の裏表に各々複数本の水平な裏側係止杆と表側係止杆を取り付け、裏側係止杆や表側係止杆にガス供給機器または特定機器を取り付けるようにし、ガス供給機器または特定機器を単独や共に各々任意の側に向けて取り付けることができるから、ガス供給機器または特定機器を所要の向きに取り付けることができ、作業も煩わしくなくコストも削減できる。
【００３７】
請求項２の発明によれば、少なくとも一側の係止杆において、係止杆の支柱への取り付け高さを調節自在とし、種々の形態のガス供給機器または特定機器を取り付けることができるから、取付作業が容易となる。
【００３８】
請求項３の発明によれば、支柱を逆Ｕの字形状に曲げた鋼管で形成し、支柱の垂直部分の下端を基礎に固定し、支柱は一体の鋼管で形成されるから、製作に手数を要せずコストが削減できる。
【図面の簡単な説明】
【図１】液化石油ガスバルク貯槽等におけるガス供給機器等の設置構造の一実施例を示す正面図である。
【図２】その側面図である。
【図３】図１の一部を切り欠いた部分拡大図である。
【図４】図２の一部を切り欠いた部分拡大図である。
【図５】図３の背面図である。
【図６】図５のガス供給機器を取り除いた図である。
【図７】図６のＡ−Ａ線に沿う断面図である。
【符号の説明】
１　基礎
２　バルク貯槽
１０　支柱
１３　係止杆としての表側係止杆
１４　係止杆としての裏側係止杆
２０　特定機器
３０　ガス供給機器
【図１】
2004138112.tif 000003
【図２】
2004138112.tif 000004
【図３】
2004138112.tif 000005
【図４】
2004138112.tif 000006
【図５】
2004138112.tif 000007
【図６】
2004138112.tif 000008
【図７】
2004138112.tif 000009